(57)【要約】【課題】回収箱内に小容器が配置されている場合であっても、シュレッダーから回収箱を取り外すことなく、回収箱及び小容器内に分別回収された紙片等の量を同時に確認することができる、シュレッダーの破砕片回収ユニットを提供する。【解決手段】本発明は、紙及び硬質材料を破砕可能で、破砕された紙片及び硬質材料片を分別回収するシュレッダーに取り付けられる破砕片の回収ユニットであって、上部に開口を有するとともに、側面に窓を有し、破砕された紙片及び硬質材料片の回収スペースに配置される回収箱と、回収箱内で前記窓に近接して収容され、回収箱の開口よりも小さい開口を上部に有する小容器とを備え、小容器の一部が窓の一部を塞ぐように構成され、この小容器において少なくとも窓を塞ぐ部分は透明に形成されており、硬質材料片は、小容器に回収され、紙片は、回収箱の内部空間のうち小容器が占める部分以外のスペースに回収される。【選択図】  図３
2007268500.tif 000002
【特許請求の範囲】
【請求項１】
紙及び硬質材料を破砕可能で、破砕された紙片及び硬質材料片を分別回収するシュレッダーに取り付けられる破砕片の回収ユニットであって、
上部に開口を有するとともに、側面に窓を有し、破砕された紙片及び硬質材料片の回収スペースに配置される回収箱と、
前記回収箱内で前記窓に近接して収容され、前記回収箱の開口よりも小さい開口を上部に有する小容器とを備え、
前記小容器の一部が前記窓の一部を塞ぐように構成され、当該小容器において少なくとも窓を塞ぐ部分は透明に形成されており、
硬質材料片は、前記小容器に回収され、
紙片は、前記回収箱の内部空間のうち前記小容器が占める部分以外のスペースに回収される、シュレッダーの破砕片回収ユニット。
【請求項２】
前記小容器は、下方にいくにしたがって横断面が小さくなる部分を有しており、当該部分が前記窓の一部を塞ぐように構成されている、請求項１に記載のシュレッダーの破砕片回収ユニット。
【発明の詳細な説明】
【技術分野】
【０００１】
本発明は、コンパクトディクス等の硬質材料及び紙を破砕可能で、破砕された紙片及び硬質材料片を分別回収するシュレッダーに取り付けられる破砕片回収ユニットに関する。なお、本明細書では、ＤＶＤ，ＣＤ，フレキシブルディスク，ＭＯ，メモリカード等の電子媒体の他、プラスチック等の材料で形成された板材、例えばクレジットカードなど、シュレッダーで破砕可能なものを硬質材料と称することとする。
【背景技術】
【０００２】
従来より、紙等を破砕するシュレッダーとして、種々のものが提案されている。例えば、特許文献１に記載の文書裁断機(シュレッダー)は、綴じ金具で綴じられた紙束端部(綴じ部)を予め切断してから、その紙束を破砕するものである。そのため、このシュレッダーは、綴じ部を挿入する挿入口と、綴じ部が切断された紙束を投入する投入口とを備えている。また、このシュレッダーでは、破砕された紙片が筐体内に収容された回収箱に、切断された綴じ部がこの回収箱内に設けられた小容器にそれぞれ分別回収される。
【特許文献１】実開昭６３−９２３６号公報
【発明の開示】
【発明が解決しようとする課題】
【０００３】
ところで、紙片及び綴じ部が回収されて、回収箱又は小容器のいずれか一方が満杯になると、回収箱をシュレッダーの筐体内から取り出し、紙片又は綴じ部を捨てる必要がある。しかしながら、上記のように、この回収箱はシュレッダーの筐体内に収容され、小容器はその回収箱の中に設けられている。そのため、回収された紙片及び綴じ部の量を外部から目視することができず、いずれかの量を確認する際には、その都度、回収箱を取り出さなければならなかった。したがって、この確認作業が面倒であるという問題があった。
【０００４】
本発明は、上記問題を解決するためになされたものであり、回収箱内に小容器が配置されている場合であっても、シュレッダーから回収箱を取り外すことなく、回収箱及び小容器内に分別回収された紙片等の量を同時に確認することができる、シュレッダーの破砕片回収ユニットを提供することを目的とする。
【課題を解決するための手段】
【０００５】
本発明は、紙及び硬質材料を破砕可能で、破砕された紙片及び硬質材料片を分別回収するシュレッダーに取り付けられる破砕片の回収ユニットであって、上記問題を解決するためになされたものであり、上部に開口を有するとともに、側面に窓を有し、破砕された紙片及び硬質材料片の回収スペースに配置される回収箱と、前記回収箱内で前記窓に近接して収容され、前記回収箱の開口よりも小さい開口を上部に有する小容器とを備え、前記小容器の一部が前記窓の一部を塞ぐように構成され、当該小容器において少なくとも窓を塞ぐ部分は透明に形成されており、硬質材料片は、前記小容器に回収され、紙片は、前記回収箱の内部空間のうち前記小容器が占める部分以外のスペースに回収される。
【０００６】
この構成によれば、小容器の一部が窓の一部を塞ぐように構成され、当該小容器において少なくとも窓を塞ぐ部分が透明に形成されているため、従来例のように回収箱をシュレッダーから取り外すことなく、回収箱及び小容器内にそれぞれ回収された紙片及び硬質材料片の量を、回収箱に設けられた窓から同時に確認することができる。なお、ここでいう透明とは、内部が視認できる程度の透明をいい、半透明のほか、有色透明も含むものとする。また、小容器が窓を塞ぐとは、小容器が窓に当接する場合のほか、やや隙間を空けて小容器が窓と対向する位置にある場合も含む。
【０００７】
ここで、例えば、回収箱に窓に設けるのではなく、回収箱全体を透明又は半透明に形成することで、その内部を視認可能にすることも考えられるが、コスト及び強度の観点から全体を透明にすることは容易ではない。特に、比較的大きなシュレッダーではこのような問題が顕著になる。したがって、上記のように構成することで、コスト面及び強度面の問題も解決しつつ、紙片及び硬質材料片の蓄積量を同時に確認することが可能となる。
【０００８】
小容器の構成は、種々のものが考えられるが、例えば、下方にいくにしたがって横断面が小さくなる部分を有しており、当該部分が窓の一部を塞ぐように構成されている。例えば、窓の幅方向に対して、小容器の幅を狭めていくことで、小容器の一部が窓の一部を塞ぐようにすることができる。或いは、小容器の輪郭が窓から見える部分と交差するように、小容器の配置位置をずらすことでも本願発明の目的を達成することができる。以上の場合、小容器を透明に形成することが好ましい。
【発明の効果】
【０００９】
本発明に係るシュレッダーの破砕片回収ユニットによれば、回収箱内に小容器が配置されている場合であっても、シュレッダーから回収箱を取り外すことなく、回収箱及び小容器内に分別回収された紙片等の量を同時に確認することができる。
【発明を実施するための最良の形態】
【００１０】
以下、本発明に係るシュレッダーの回収ユニットの一実施形態について図面を参照しつつ説明する。図１は本実施形態に係るシュレッダーの側面断面図、図２は図１のシュレッダーの一部切欠斜視図、図３は図１の正面図である。
【００１１】
本実施形態に係るシュレッダーは、紙のみならず、ＣＤ等の硬質材料も破砕可能に構成されている。図１に示すように、このシュレッダー１は、破砕用のカッタユニット３，５、これを駆動するモータ（図示省略）、及び紙等の破砕片を回収する回収箱７を備えており、これらが筐体９内に配置されている。
【００１２】
図１及び図２に示すように、筐体９の上面には、前面側（図１の左側）から硬質材料用投入口１１及び紙用投入口１３がこの順で形成されている。紙用投入口１３の下方には、紙を破砕するカッタユニット５が配置されている。このカッタユニット５は、平行に並ぶ一対の円筒型のカッタ５ａ，５ｂを有している。各カッタ５ａ，５ｂの外周面には刃が形成され、これらの刃が互いに噛み合うように回転可能となっている。そして、投入された紙は、両カッタ５ａ，５ｂの回転に伴ってこれらの間に巻き込まれながら破砕され、下方に落下して回収される。
【００１３】
また、硬質材料用投入口１１は、ＣＤ等を投入する投入口１１ａとクレジットカード等を投入する投入口１１ｂとの２つからなり、その下方にも、紙用投入口１３と同様にカッタユニット３が配置されている。このカッタユニット３で破砕された硬質材料は、紙用カッタユニット５で破砕された紙片よりも前側に落下する。すなわち、破砕された紙片と硬質材料片とは異なる位置に落下し、後述するように、分別回収される。
【００１４】
破砕された紙片Ｄ及び硬質材料片Ｅは、筐体９の下部に形成された回収スペースＳに落下する。回収スペースＳには、紙片Ｄ及び硬質材料片Ｅが回収される回収ユニットが配置されている。この回収ユニットは、上部が開口する回収箱７と後述する小容器１９とを備えており、紙片Ｄ及び硬質材料片Ｅは回収箱７の開口へ落下するようになっている。すなわち、回収箱７の開口は、紙片Ｄ及び硬質材料片Ｅの両方の落下位置を含む大きさに形成されており、回収箱７の開口の前側に硬質材料片Ｅが落下し、後側に紙片Ｄが落下する。また、図２及び図３に示すように、回収箱７の前面の上側には、図３の左右方向に延びる横長の窓２１が形成されており、これによって、回収箱７の内部を視認可能となっている。
【００１５】
そして、図１〜図３に示すように、回収箱７には、硬質材料片Ｅのみを回収する小容器１９が配置されている。この小容器１９は、内部が視認可能となるように透明又は半透明の材料で形成されており、図３に示すように、左右の幅が上端部で回収箱７の内部空間の幅とほぼ同じであり、高さが回収箱７の深さの約半分となっている。そして、小容器１９は、その上端部１９ａの下端１９ｂから下端部１９ｃにかけて容器の右側がへこむように形成されている。すなわち、小容器１９の左右の幅は、上端部１９ａの下端１９ｂから高さ方向の中央部近傍にかけて次第に幅が狭くなり、その中央部近傍から下端部１９ｃにかけて回収箱７の約半分になるように構成されている。そして、小容器１９の前後（図１の左右方向）の長さが回収箱７の約５分の１である。小容器１９の開口周縁にはＬ字形の係止部材２３が形成されており、この係止部材２３が回収箱７の開口周縁に係止することで小容器１９が回収箱７に固定されている。このとき、小容器１９は、回収箱７の前側で窓２１に近接して配置され、これによって、図１に示すように、回収箱７の開口の前側に落下する硬質材料片Ｅを回収するようになっている。一方、後側に落下する紙片は、回収箱７の内部空間のうち小容器７が占める部分以外のスペースＰに蓄積されるようになっている。また、このとき、図３に示すように、小容器１９の上端部１９ａより下の部分、つまり左右の幅が狭くなった部分が、窓２１の左側部分に対向して配置されるようになっている。したがって、窓２１の左側の領域は小容器１９によって塞がれるため、ここからは小容器１９の内部が視認でき、小容器１９によって塞がれていない窓２１の右側の領域からは、回収箱７の内部が視認できるようになっている。
【００１６】
次に、上記のように構成されたシュレッダーの使用方法について説明する。まず、シュレッダーのスイッチをオンにして、カッタを回転させる。次いで、破砕の対象物に応じた投入口へ各対象物を投入して破砕を行う。
【００１７】
そして、回収箱７及び小容器１９内にそれぞれ回収された紙片Ｄ及び硬質材料片Ｅの量を、回収箱７の窓２１から目視して確認する(図３参照)。このとき、回収箱７における紙片の蓄積スペースＰ(図１参照)又は小容器１９のいずれか一方が満杯になっているのが確認されれば、図２に示すように回収箱７を取り出す。そして、小容器１９が硬質材料で一杯であれば、小容器１９のみを取り出して硬質材料片Ｅを捨てればよいし、紙片Ｄの蓄積スペースＰが満杯であれば小容器１９を取り外して、回収箱７内の紙片を捨てればよい。
【００１８】
以上のように、本実施形態によれば、小容器１９の幅が、小容器１９の上端部１９ａの下端１９ｂから下端部１９ｃにかけて狭くなっているため、窓２１の一部のみが小容器１９に塞がれるようになる。そのため、小容器１９に塞がれている領域では小容器１９の内部が視認でき、小容器１９によって塞がれていない領域からは回収箱７の内部が視認可能となる。したがって、従来例のように回収箱をシュレッダーから取り外すことなく、回収箱７及び小容器１９内にそれぞれ回収された紙片Ｄ及び硬質材料片Ｅの量を、回収箱７に設けられた窓２１から同時に確認することができる。
【００１９】
また、本実施形態によれば、小容器１９の上端部が回収箱７の内部空間の幅とほぼ同じになるように形成されているため、その内部空間の幅方向のほぼ全域にわたって、破砕された硬質材料を受け入れることができる。そのため、図２に示すように、異なる種類の硬質材料(ＣＤとクレジットカード等)をそれぞれ分けて投入する投入口１１ａ，１１ｂをシュレッダーの幅方向に２つ並べて構成することができる。これによって、例えば、投入口１１ａの下方に配置されたカッタの刃と、投入口１１ｂの下方に配置されたカッタの刃とをそれぞれに投入される硬質材料に適するように構成することもでき、硬質材料の材質等に起因する破砕ミスを防止することができる。
【００２０】
また、本実施形態においては、図１及び図２に示すように、小容器１９を回収箱７の前側に配置している。そのため、小容器１９内に硬質材料片Ｅが蓄積して回収箱７を引き出したときに、小容器１９内の硬質材料片Ｅを捨てる作業が容易になる。
【００２１】
以上、本発明の一実施形態について説明したが、本発明は上記実施形態に限定されるものではなく、その趣旨を逸脱しない限りにおいて種々の変更が可能である。例えば、上記実施形態では、小容器１９が、その上端部１９ａの下端１９ｂから下端部１９ｃにかけて容器の右側がへこむように形成されているが、これに限定されるものではなく、小容器の一部が窓の一部を塞ぐように構成されていればよい。例えば、図４に示すように、小容器１９の幅方向の中央部を下方からへこませるように構成してもよい。また、図５に示すように、小容器１９の中央部付近に貫通孔を形成するように構成してもよい。さらに、図６に示すように、回収箱７の内部空間の幅方向の一方側に、小容器１９が配置されるように構成してもよい。なお、小容器は、全体を透明にしてもよいが、少なくとも窓と重複する部分が透明になっていればよい。
【００２２】
また、小容器１９の大きさは、上記のように、小容器１９の少なくとも一部分が、回収箱７の幅方向でその内部空間の一部分のみにわたるように形成される限り、上記説明に限定されるものではなく、必要に応じて変更することができる。例えば、小容器１９の幅、奥行き、深さ等は、予定している硬質材料の破砕量に合わせたものにすることができる。
【００２３】
また、回収箱は、上記実施形態のように、シュレッダーの筐体内に収納されるものであってもよいし、シュレッダーの下部が回収箱のみによって構成されるような比較的小型のシュレッダーにも適用することも可能である。
【図面の簡単な説明】
【００２４】
【図１】本発明の一実施形態に係るシュレッダーの側面断面図である。
【図２】本発明の一実施形態に係るシュレッダーの一部切欠斜視図である。
【図３】図１のシュレッダーの正面図である。
【図４】小容器の他の例を示す正面図である。
【図５】小容器の他の例を示す正面図である。
【図６】小容器の他の例を示す正面図である。
【符号の説明】
【００２５】
１    シュレッダー
７    回収箱
１９  小容器
２１  窓
２３  係止部材
Ｄ    硬質材料片
Ｅ    紙片
【図１】
2007268500.tif 000003
【図２】
2007268500.tif 000004
【図３】
2007268500.tif 000005
【図４】
2007268500.tif 000006
【図５】
2007268500.tif 000007
【図６】
2007268500.tif 000008